(57)【要約】【課題】ヒートポンプ暖房と蓄熱暖房とを併用して、特に寒冷地における暖房を効率的に行うことのできる暖房運転制御システムを提供する。【解決手段】ヒートポンプ暖房装置と蓄熱暖房装置とを備え、特に気象情報サイト等から提供される翌日の天候情報と外気温情報とを取得し（情報取得手段）、予め求められた天候に対する外気温変化に関する特定の地域毎の重み付け値を用いて前記天候情報と前記予想外気温情報とから暖房制御対象地域に固有な外気温の予想変化パターンを求める（外気温変化予測手段）。そして前記ヒートポンプ暖房装置の暖房特性を参照し、予測した外気温予想変化パターンに基づいて前記ヒートポンプ暖房装置の暖房による室内空間の温度変化パターンを推定する（室温変化推定手段）。この室内空間の温度変化パターンに応じて蓄熱暖房装置の運転スケジュールを管理する（運転管理手段）。【選択図】      図１
2013204834.tif 000002
【特許請求の範囲】
【請求項１】
電力供給を受けて駆動されて所定の室内空間を暖房するヒートポンプ暖房装置と、
このヒートポンプ暖房装置の補助装置として用いられて前記室内空間を暖房する蓄熱暖房装置と、
情報通信回線を介して提供される翌日の天候情報と予想外気温情報とを取得する情報取得手段と、
予め過去の気象データを統計処理して求められた天候に対する外気温変化に関する地域毎の重み付け値を用いて前記天候情報と前記予想外気温情報とから前記ヒートポンプ暖房装置および前記蓄熱暖房装置が設けられた地域に固有な外気温の予想変化パターンを求める外気温変化予測手段と、
前記ヒートポンプ暖房装置の外気温と供給熱量との関係を参照し、予測された前記外気温の予想変化パターンに基づいて該ヒートポンプ暖房装置の暖房による今後の前記室内空間の温度変化パターンを推定する室温変化推定手段と、
推定した前記室内空間の温度変化パターンに応じて前記蓄熱暖房装置の運転スケジュールを管理して該室内空間の温度を一定に制御する運転管理手段と
を具備したことを特徴とする暖房運転制御システム。
【請求項２】
前記情報取得手段は、夜間電力の利用可能時間帯に入る前に翌日の天候情報と予想外気温の変化パターンとを取得するものであって、
前記外気温変化予測手段は、前該夜間電力の利用可能開始時刻から翌日の夜間電力の利用可能開始時刻に亘る外気温の変化パターンを予測するものである請求項１に記載の暖房運転制御システム。
【請求項３】
前記天候に対する外気温変化に関する地域毎の重み付け値は、前記ヒートポンプ暖房装置および前記蓄熱暖房装置が設けられた地域とその近隣地域のそれぞれにおける天候と外気温変化との関係を示す過去の気象データを統計処理して、各地域毎に前記情報通信回線を介して提供される翌日の予想外気温の変化パターンに対する補正用の重み付け値として求められるものである請求項１に記載の暖房運転制御システム。
【請求項４】
前記運転管理手段は、前記蓄熱暖房装置の自然放熱による前記室内空間の暖房を加味して該蓄熱暖房装置の運転スケジュールを管理するものである請求項１に記載の暖房運転制御システム。
【請求項５】
請求項１に記載の暖房運転制御システムにおいて、
更に電力事情に応じて前記ヒートポンプ暖房装置の運転を制御する手段を備え、
前記室温変化推定手段は、前記ヒートポンプ暖房装置の運転スケジュールを加味して該ヒートポンプ暖房装置の暖房による前記室内空間の温度変化パターンを推定することを特徴とする暖房運転制御システム。
【請求項６】
請求項１に記載の暖房運転制御システムにおいて、
更に前記蓄熱暖房装置の運転スケジュールに応じて該蓄熱暖房装置に必要な蓄熱量を求め、当該蓄熱暖房装置の暖房運転に先立って必要な蓄熱量を確保する蓄熱制御手段を備えることを特徴とする暖房運転制御システム。
【発明の詳細な説明】
【技術分野】
【０００１】
本発明は、ヒートポンプ暖房と蓄熱暖房とを併用した寒冷地における暖房運転制御システムに関する。
【背景技術】
【０００２】
寒冷地における住宅では、その暖房機器として電力供給を受けて駆動されるヒートポンプ暖房装置、具体的には電気式のエアコンディショナ（いわゆるエアコン）が用いられることが多く、またヒートポンプ暖房装置よりも暖房効率が劣るが、暖房に必要な熱量を溜めておくことのできる蓄熱暖房装置も併用されることも多い。なお、寒冷地仕様のヒートポンプ暖房装置（エアコン）の最大暖房効率は、蓄熱暖房装置に比較して３〜５倍程度である。
【０００３】
ところでヒートポンプ暖房装置（エアコン）の動作保証範囲には限界があり、外気温の低下に伴ってその暖房効率が低下することが否めない。特に外気温が大幅に低下した場合には、例えば−２５℃以下では暖房出力を確保することができなくなる。そこでヒートポンプ暖房装置を主暖房装置として用い、蓄熱暖房装置を補助暖房装置として併用することが提唱されている（例えば特許文献１を参照）。
【０００４】
また、例えば電力需要のピークカットを目的とする電力供給の停止に伴ってヒートポンプ暖房装置の運転が停止した際、蓄熱暖房装置を用いることで暖房や給湯を継続することも提唱されている（例えば特許文献２を参照）。更には蓄熱暖房装置を用いるに際して、予測した翌日の天候や外気温に応じて、予め蓄熱暖房装置に蓄える蓄熱量を制御することも提唱されている（例えば特許文献３,４を参照）。
【先行技術文献】
【特許文献】
【０００５】
【特許文献１】特開２００２−７１１４９号公報
【特許文献２】特開２００９−２０４２９８号公報
【特許文献３】特開２００８−４５８１１号公報
【特許文献４】特開平６−７４６７４号公報
【発明の概要】
【発明が解決しようとする課題】
【０００６】
しかしながらヒートポンプ暖房装置と蓄熱暖房装置とを併用するに際して、如何にして効率良く室内空間を暖房するかという点で幾つかの課題がある。例えばセンサを用いてリアルタイムに計測される外気温から翌日の外気温の変化を予測し、その予測データに基づいてヒートポンプ暖房装置および蓄熱暖房装置の運転を制御しても、実際の外気温変化がその予測と異なることがある。
【０００７】
またインターネット等の情報通信回線を介して提供される気象予想情報を利用するにしても、必ずしもその気象予報情報が、当該ヒートポンプ暖房装置および蓄熱暖房装置が設置された地域固有の特異性（地域特性）等を反映しているとは言い難い。具体的には天気予報として提供される気温情報は、例えば都道府県別や都市部等の予め設定したかなり広範囲の領域を単位として、その領域内の代表地点に関して求めただけのものであり、実際には同一領域内において細分される各地域によって大きな違いがある。
【０００８】
この為、ヒートポンプ暖房装置および蓄熱暖房装置を効率的に運転して所定の室内空間を暖房する上で、また蓄熱暖房装置の安定な運転に必要な蓄熱量を予めエネルギ効率良く確保しておく上で、上述した気象予報情報をそのまま利用するには問題が残される。
本発明はこのような事情を考慮してなされたもので、その目的は、ヒートポンプ暖房と蓄熱暖房とを併用して、特に寒冷地における暖房を効率的に行うことのできる暖房運転制御システムを提供することにある。
【課題を解決するための手段】
【０００９】
上述した目的を達成するべく本発明に係る暖房運転制御システムは、寒冷地における建屋に設けられて建屋内（室内空間）を暖房するに好適なものであって、電力供給を受けて駆動されて所定の室内空間を暖房するヒートポンプ暖房装置（電気式エアコンディショナ；エアコン）と、このヒートポンプ暖房装置の補助装置として用いられて前記室内空間を暖房する蓄熱暖房装置とを備え、特に、インターネット等の情報通信網を介して気象情報サイト等から提供される翌日の天候情報と予想外気温情報（外気温の予想変化パターン）を取得する情報取得手段と、予め過去の気象データを統計処理して求められた天候に対する外気温変化に関する特定の地域毎の重み付け値（例えば天候と気温との関係を数量化１類により定量化した値）を用いて、前記天候情報と前記予想外気温情報とから前記ヒートポンプ暖房装置および前記蓄熱暖房装置が設けられた地域に固有な外気温の予想変化パターンを求める外気温変化予測手段と、前記ヒートポンプ暖房装置の外気温と供給熱量との関係（エアコン特性）を参照し、予測された前記外気温の予想変化パターンに基づいて該ヒートポンプ暖房装置の暖房による今後の前記室内空間の温度変化パターンを推定する室温変化推定手段と、推定した前記室内空間の温度変化パターンに応じて前記蓄熱暖房装置の運転スケジュールを管理して該室内空間の温度を一定に制御する運転管理手段と、を具備したことを特徴としている。
【００１０】
好ましくは前記情報取得手段においては、夜間電力の利用可能時間帯に入る前に翌日の天候情報と予想外気温の変化パターンとを、例えば気象庁や気象情報サイト等から提供される情報として取得し、また前記外気温変化予測手段においては、前該夜間電力の利用可能開始時刻から翌日の夜間電力の利用可能開始時刻に亘る１日分の外気温の変化パターンを予測する。
【００１１】
ちなみに前記天候に対する外気温変化に関する特定の地域毎の重み付け値は、例えば前記ヒートポンプ暖房装置および前記蓄熱暖房装置が設けられた地域とその近隣地域のそれぞれにおける天候と外気温変化との関係を示す過去の気象データを統計処理、例えば数量化１類による定量化の手法を用いて分析し、各地域毎に前記情報通信回線を介して提供される翌日の予想外気温の変化パターンに対する補正用の重み付け値として求められる。
【００１２】
なお、前記運転管理手段においては、前記蓄熱暖房装置の蓄熱特性（自然放熱）を加味して前記蓄熱暖房装置の運転スケジュールを管理することが望ましい。また更に電力事情に応じて前記ヒートポンプ暖房装置の運転を制御する手段を備え、前記室温変化推定手段において、前記ヒートポンプ暖房装置の運転スケジュールを加味して該ヒートポンプ暖房装置の暖房による前記室内空間の温度変化パターンを推定することが望ましい。
【００１３】
また上述した蓄熱暖房装置の運転スケジュールの管理に加えて、更にその運転スケジュールに応じて該蓄熱暖房装置に必要な蓄熱量を求め、当該蓄熱暖房装置の暖房運転に先立って必要な蓄熱量を確保する蓄熱制御手段を備えることが望ましい。
【発明の効果】
【００１４】
上述した構成の暖房運転制御システムによれば、ヒートポンプ暖房装置および蓄熱暖房装置を設けた地域に固有の、予め求めた天候に対する外気温変化に関する重み付け値（地域特性）を用いて、情報通信回線を介して取得した翌日の天候情報と予想外気温情報とから当該地域に固有な外気温の予想変化パターンを求め、この外気温の予想変化パターンと前記ヒートポンプ暖房装置の特性とから暖房対象とする室内空間の温度変化パターンを推定する。
【００１５】
そしてこの温度変化パターンに従って前記蓄熱暖房装置の運転スケジュールを管理するので、該室内空間の温度を安定に制御することが可能である。従ってヒートポンプ暖房装置の暖房能力を有効に活用しながら蓄熱暖房装置を効率的に運転し、所定の室内空間をエネルギ効率良く安定に暖房することが可能となる。
【００１６】
また電力事情を配慮してヒートポンプ暖房装置の運転をオン・オフ制御する際、このヒートポンプ暖房装置の運転スケジュールを加味して該ヒートポンプ暖房装置の暖房による室内空間の温度変化パターンを推定するので、仮に電力の供給停止に伴ってヒートポンプ暖房装置による暖房を停止せざるを得ない場合であっても、蓄熱暖房装置を用いて室内空間の暖房に必要な熱量を効果的に補うことができる。従って電力供給が停止した状況下でも室内温度を安定に保つことができる。
【００１７】
また前述した蓄熱暖房装置の運転スケジュールに応じて該蓄熱暖房装置に必要な蓄熱量を求め、例えば当該蓄熱暖房装置の暖房運転に先立って蓄熱運転して上記必要蓄熱量を確保することで、蓄熱暖房装置の安定した運転を保証することができる。
【図面の簡単な説明】
【００１８】
【図１】本発明の一実施形態に係る暖房運転制御システムの機能ブロック図。
【図２】本発明の一実施形態に係る暖房運転制御システムの構成図。
【図３】外気温変化の地域性を説明するための図。
【図４】暖房運転制御の概略的な処理手順を示す図。
【図５】情報提供される予想外気温情報と地域性を考慮して求めた予想外気温の変化パターンとを対比して示す図。
【図６】ヒートポンプ暖房装置の出力特性の例を示す図。
【図７】推定した室温変化パターンに基づいて決定される蓄熱暖房装置の運転スケジュール（放熱パターン）の例を示す図。
【発明を実施するための形態】
【００１９】
以下、図面を参照して本発明の一実施形態に係る暖房運転制御システムについて説明する。
この暖房運転制御システム１は、冬季に外気温が日常的に氷点下となる寒冷地に設けるに好適なものであって、図１は暖房運転制御システム１の機能ブロック図である。図１に示すようにこの暖房運転制御システム１は、所定の室内空間を暖房する主暖房装置として暖房能力の高い電気式のヒートポンプ暖房装置（エアコン）１０を用い、このヒートポンプ暖房装置１０を補助して前記室内空間を暖房する蓄熱暖房装置２０を補助暖房装置として併用することを前提として構築される。
【００２０】
なお、暖房運転制御システム１の装置構成例を図２に示す。暖房運転制御システム１は、ヒートポンプ暖房装置１０、蓄熱暖房装置２０、およびマイクロコンピュータ等を内蔵しコンピュータ処理によって両装置１０，２０へ制御指令を出力する制御装置３０で構成されている。
【００２１】
蓄熱暖房装置２０は、熱を蓄える蓄熱槽を備え、例えば送風ファンの運転に伴って前記蓄熱槽に蓄えられた熱を温風として放熱することで所定の空間を暖房するものからなる。しかし床下等に敷設されて前記蓄熱槽に連結されたパイプに液体または気体の熱交換媒体を循環させて床暖房し、これによって所定の空間を暖房するタイプのものであっても良い。また蓄熱暖房装置２０としては、電力を主要なエネルギ源としない石油暖房装置やガス暖房装置のようなものであっても良い。なお、この場合の蓄熱量は石油（灯油）やガス等の貯留量に相当することになる。
【００２２】
なお、前記ヒートポンプ暖房装置１０は、基本的には予め設定された室内温度（設定温度）の下で室内空間の温度を検出しながら、その室内温度が設定温度に保たれるように運転制御される。この際、外気温に応じてヒートポンプ暖房装置１０の運転効率が制御されることは言うまでもない。そして本システム１は、このようなヒートポンプ暖房装置１０の運転により室内暖房を行っていることを条件として、外気温変化に応じて、特に外気温が大幅に低下して前記ヒートポンプ暖房装置１０の暖房能力が低下した際、蓄熱暖房装置２０を用いて前記室内を補助暖房することを前提としている。
【００２３】
図１において、暖房運転制御システム１の制御装置３０は、インターネット網等の情報通信回線３を介して気象庁や気象情報サイト等（図示せず）から提供される気象情報、具体的には天候情報および予測外気温情報（外気温の予想変化パターン）を取得する気象情報取得手段１１を備えると共に、天候に対する外気温変化に関する特定の地域毎の重み付け値（地域特性）を予め取得する地域特性取得手段１２を備える。また、この制御装置３０は、必要に応じて、電力需要のピークカットを目的とする電力供給の停止計画を示す電力事情情報を取得する電力情報取得手段１３を備える。
【００２４】
ちなみに前記特定の地域毎の重み付け値（地域特性）とは、気象庁や気象情報サイト等から取得した気象情報に対する、ヒートポンプ暖房装置および蓄熱暖房装置が設けられた地域に固有の補正（修正）係数である。この重み付け値（地域特性）は、予め複数の観測地点において観測された天候および外気温からなる過去の気象データを統計的処理し、例えば数量化１類の手法に基づいて、天候と外気温変化との関係に関する個々の地域特性を定量化して求められる。
【００２５】
即ち、気象庁や気象情報サイト等から提供される気象情報は、図３にその概念を示すように、例えば都道府県別や都市部等の予め設定したかなり広範囲の領域を単位として、その領域を代表する地点（◎印で示す）での情報として予測されたものである。しかしながら気象情報が提供される地域（領域）内に含まれるといえども、地形や市街環境等に依存して地理的条件を異にする地点毎に外気温やその変化に違いが生じることが否めない。このような各地点毎に異なる気象条件の地域性を表したものが前述した重み付け値（地域特性）である。
【００２６】
なお、上述した重み付け値（地域特性）を求める上での気象データは、例えば図３に●印で示すように、前記地域（領域）内に分散する複数の地点における各住宅に温度センサや日照センサ等を配置し、一定間隔毎にその観測データを集約サーバ（図示せず）に収集し、これを蓄積することによって求められる。そして収集・蓄積した気象データを、例えばクラスタリング手法を用いて或るまとまりのある地域毎に分割し、各地域毎に天候に対する外気温の変化パターンを、その地域に固有な気象特性として求める。その上で、前述した代表点が含まれる地域の気象特性と、その他の地域の気象特性とを対比し、その違いを分析して各地域毎の重み付け値を、上記代表点が含まれる地域の気象特性に対する補正（修正）係数として求める。
【００２７】
しかして前述した地域特性取得手段１２は、当該ヒートポンプ暖房装置１０および蓄熱暖房装置２０を設置した建屋（住宅）が、上述した如く分割された地域のどれに含まれるかに従って、その地域に固有な重み付け値（地域特性）を予め取得する。そして前述した気象情報取得手段１１および電力情報取得手段１３は、例えば夜間電力の利用可能時間帯に入る前に翌日の天候情報と予想外気温の変化パターン、更には翌日の電力供給計画をそれぞれ取得する。
【００２８】
図１に戻って暖房運転制御システム１の説明を進めると、このシステム１の制御装置３０は前記気象情報取得手段１１にて取得した翌日の天候情報と予想外気温情報から、前述した重み付け値（地域特性）を用いて、当該ヒートポンプ暖房装置１０および蓄熱暖房装置２０を設置した地域に固有な外気温の予想変化パターンを求める外気温変化予測手段２１を備える。そしてエアコン運転スケジュール管理手段２２は、予め求められているヒートポンプ暖房装置１０の仕様、具体的には外気温に対する暖房能力の変化を示すエアコン特性データ２３に従って前記ヒートポンプ暖房装置１０の運転スケジュールを決定する。このエアコンの運転スケジュールは、例えば前述した夜間電力の利用可能時間帯の開始時刻から翌日の夜間電力時間帯開始時刻までの１日分に亘って求められる。
【００２９】
特に前記エアコン運転スケジュール管理手段２２は、予想外気温が−２５℃を下回り、これに伴ってヒートポンプ暖房装置１０の運転による暖房効果が期待できない時間帯が判定されたとき、当該時間帯でのヒートポンプ暖房装置１０の運転を停止するようにその運転スケジュールを設定する。この際、前記電力情報取得手段１３にて求められた電力事情に応じて、つまり電力の供給停止期間が予告されたときには、その電力供給停止期間における前記ヒートポンプ暖房装置１０の運転停止を前記運転スケジュールに組み込んでも良いことは言うまでもない。そしてエアコン運転制御手段２４は、上述した如く設定された運転スケジュールに従ってヒートポンプ暖房装置１０の運転をオン・オフ制御するための制御指令を生成する。この制御指令は、赤外線などを用いたインターフェース手段２４ａを介してヒートポンプ暖房装置１０へ送信される。
【００３０】
一方、室温変化予測手段２５は、エアコン特性として示される前記ヒートポンプ暖房装置１０の外気温と供給熱量との関係を参照して、前記外気温変化予測手段２１にて予測された外気温の予想変化パターンに基づいて該ヒートポンプ暖房装置１０の暖房による今後の前記室内空間の温度変化パターンを推定する。この温度（室温）変化の推定も、前述した夜間電力の利用可能時間帯の開始時刻から翌日の夜間電力時間帯開始時刻までの１日分に亘って行われる。
【００３１】
そして放熱運転管理手段２６は、前記室温変化予測手段２５にて推定された室内空間の温度変化パターンに応じて前記蓄熱暖房装置２０による補助暖房の運転スケジュールを決定する。前記蓄熱暖房装置２０を放熱駆動（暖房運転）する送風ファン制御手段２７は、上記運転スケジュールに従って前記蓄熱暖房装置２０の運転を制御することになる。換言すれば前記運転スケジュールに従って前記蓄熱暖房装置２０の送風ファンが駆動され、該送風ファンによる温風の吹き出しによって前記蓄熱暖房装置２０の蓄熱槽からの熱エネルギの放出（放熱）が行われて、前記ヒートポンプ暖房装置１０の暖房能力低下に伴って前記室内空間の補助暖房が実行される。
【００３２】
なお、蓄熱暖房装置２０の運転スケジュールを決定するに際しては、予め求められている該蓄熱暖房装置２０の蓄熱特性（自然放熱）２８を考慮して、その放熱量を管理することが望ましい。またこのようにして決定される蓄熱暖房装置２０の運転スケジュールに基づいて、その運転スケジュールを実行する上で必要となる蓄熱量を算出し、前記蓄熱暖房装置２０を暖房運転するに先立って蓄熱制御手段２９の制御の下で必要な熱量を蓄熱することが望ましい。この蓄熱運転については、例えば前記ヒートポンプ暖房装置１０に暖房を委ねて蓄熱暖房装置２０を暖房運転しない時間帯であって、外気温が比較的高い時間帯に行うようにすれば良い。
【００３３】
図４は、図３に示した複数の機能によって構築される本暖房運転制御システム１における概略的な処理手順、特に蓄熱暖房装置２０に必要な蓄熱量を決定するまでの処理手順を示している。
この処理は、前述したように夜間電力の利用可能時間帯に入る直前に、先ずインターネット等を介して気象情報サイト等から、当該ヒートポンプ暖房装置１０および蓄熱暖房装置２０が設けられた地域が属する都道府県や都市部等の、予め定められた予報対象領域の、翌１日分の気温予測データと気象情報（晴れ・曇り・雨・雪などの天候情報）とを取得する＜ステップＳ１,Ｓ２＞。しかる後、予め過去の気象データから統計処理によって求められた、天候に対する外気温変化についての上記予報対象領域に属する地域毎の重み付け値（地域特性）を用いて前記気温予測データ（外気温変化パターン）を補正し、当該地域に固有な外気温の予想変化パターンを求める＜ステップＳ３＞。
【００３４】
即ち、図５にその概念を示すように、インターネット等を介して取得した特定の予報対象領域の代表点についての翌日の気温予測データ（外気温変化パターン）Ａを、ヒートポンプ暖房装置１０および蓄熱暖房装置２０が設けられた地域に固有な重み付け値（地域特性）を用いて補正し、当該地域に当て嵌まる外気温の予想変化パターンＢを求める（予測気温への地域性の付加）。
【００３５】
次いで上述した如く求めた外気温の予想変化パターンＢに従い、例えば図６に示すようなヒートポンプ暖房装置１０の仕様（外気温と供給熱量との関係を示す暖房特性）を参照して、該ヒートポンプ暖房装置１０の運転による暖房効果が期待できない時間帯を求める＜ステップＳ４＞。また電力の供給停止時間帯がある場合には、その電力事情に応じてヒートポンプ暖房装置１０を運転することのできない時間帯を設定する＜ステップＳ５＞。
【００３６】
その上で、例えば図７の破線Ｃで示すように前記ヒートポンプ暖房装置１０の暖房運転による室内空間の温度変化パターンを推定する＜ステップＳ６＞。即ち、外気温が大幅に低下してヒートポンプ暖房装置１０の暖房能力が損なわれる期間、および電力供給の停止によってヒートポンプ暖房装置１０を運転することのできない期間における室温の低下を見込むと共に、これらの期間における前記蓄熱暖房装置２０による補助暖房によって補われると見込まれる室温の上昇を考慮して室内空間の温度変化パターンを推定する。
【００３７】
そして室内空間の温度変化パターンを推定したならば、次にこの温度変化パターンに沿って室温を管理するに必要な前記蓄熱暖房装置２０の補助暖房運転による供給熱量を、例えば図７の実線Ｄに示すように求め、これを該蓄熱暖房装置２０の運転管理スケジュール（運転パターン）とする＜ステップＳ７＞。
【００３８】
しかる後、上述した運転管理スケジュールに則った蓄熱暖房装置２０の運転により該蓄熱暖房装置２０から室内空間に放出される熱量（熱量の時間積分値）を、前記蓄熱暖房装置２０の運転に必要な蓄熱量として求める＜ステップＳ８＞。この際、図７において特性Ｅとして示す蓄熱暖房装置２０の自然放熱による熱量を考慮して、具体的には自然放熱量を加えて前記蓄熱暖房装置２０の運転に必要な蓄熱量を求める。このようにして求めた蓄熱量に応じて、前述したように蓄熱暖房装置２０の蓄熱制御が実行される。
【００３９】
このように構成された暖房運転制御システムによれば、気象情報サイト等から提供される大略的な気象情報を利用するといえども、ヒートポンプ暖房装置１０および蓄熱暖房装置２０を設置した該当地区に固有な重み付け値（地域特性）を用いて上記気象情報から当該地域に固有な外気温変化パターンを予測し、この外気温変化パターンに従って前記ヒートポンプ暖房装置１０を用いた暖房による室内温度変化を推定するので、ヒートポンプ暖房装置１０による暖房を補助する蓄熱暖房装置２０の運転スケジュールを精度良く推定することができる。この結果、蓄熱暖房装置２０の運転を効率的に制御して室内空間を効果的に暖房することが可能となる。
【００４０】
特に地域性を考慮してヒートポンプ暖房装置１０および蓄熱暖房装置２０を設置した地域に固有な外気温の変化パターンを求め、この外気温変化パターンに応じて前記ヒートポンプ暖房装置１０の暖房能力の低下期間を推定して蓄熱暖房装置２０を運転するので、ヒートポンプ暖房装置１０と蓄熱暖房装置２０とを効率的に併用運転することができる。また外気温の低下に起因してヒートポンプ暖房装置１０の暖房能力の低下している期間には該ヒートポンプ暖房装置１０の運転を積極的に停止させることができるので、ヒートポンプ暖房装置１０の無駄な運転による電力消費を未然に防ぐことが可能である。従って暖房運転による電力消費の低減にも寄与することができる。
【００４１】
なお、本発明は上述した実施形態に限定されるものではない。例えば１日の予め区分された時間帯によって電力料金が異なるような場合、電力需要が多くて電力料金の高い時間帯でのヒートポンプ暖房装置１０が運転を停止するような運転スケジュールを作成し、この運転スケジュールに従って蓄熱暖房装置２０を運転するような場合にも同様に適用することができる。
【００４２】
また該当地域における外気温の変化予想パターンを求める上での前述した地域毎の重み付け値（地域特性）については、気象情報サイトから提供される代表点での大略的な気象データと各地域における過去の気象データの統計的処理結果との天候に応じた偏差として求めることも可能である。この場合、気象情報サイトから提供される代表点での大略的な気象データ（外気温変化パターン）に上記偏差を加えて、各地域毎の外気温変化予想パターンを求めるようにすれば良い。
【００４３】
更には補助暖房用の蓄熱暖房装置２０として前述した石油暖房装置やガス暖房装置等を用いることも可能であり、これらの複数種の暖房装置を併用することも勿論可能である。その他、本発明はその要旨を逸脱しない範囲で種々変形して実施することができる。
【符号の説明】
【００４４】
１  暖房運転制御システム
３  情報通信回線（インターネット網）
１０  ヒートポンプ暖房装置（電気式のエアコンディショナ）
２０  蓄熱暖房装置
１１  気象情報取得手段
１２  地域特性取得手段
１３  電力情報取得手段
２１  外気温変化予測手段
２２  エアコン運転スケジュール管理手段
２３  エアコン特性データ
２４  エアコン運転制御手段
２４ａ  インターフェース手段
２５  室温変化予測手段
２６  放熱運転管理手段
２７  送風ファン制御手段
２８  蓄熱特性（自然放熱）
２９  蓄熱制御手段
【図１】
2013204834.tif 000003
【図３】
2013204834.tif 000004
【図４】
2013204834.tif 000005
【図５】
2013204834.tif 000006
【図６】
2013204834.tif 000007
【図７】
2013204834.tif 000008
【図２】
2013204834.tif 000009